(57)【要約】【課題】  容易かつ効率的に紐などの紐体を容器内に取り付けることができる包装容器およびブランクを提供する。【解決手段】  包装容器は、底壁、底壁から立ち上がる周壁および周壁の上部に開口部を有し、内部に被収容物を収容可能なケース本体と、ケース本体に連結し、開口部を開閉する蓋部と、底壁の一部を切り込んで形成される部分であり、底壁から起こされる切り起こし部と、切り起こし部に掛けられ、被収容物を結ぶ紐体と、を備える。【選択図】      図１
2018122923.tif 000002
【特許請求の範囲】
【請求項１】
底壁、前記底壁から立ち上がる周壁および前記周壁の上部に開口部を有し、内部に被収容物を収容可能なケース本体と、
前記ケース本体に連結し、前記開口部を開閉する蓋部と、
前記底壁の一部を切り込んで形成される部分であり、前記底壁から起こされる切り起こし部と、
前記切り起こし部に掛けられ、被収容物を結ぶ紐体と、を備えることを特徴とする包装容器。
【請求項２】
被収容物を包装するための包装容器を形成するためのブランクであって、
底壁と、
前記底壁に折り曲げ可能に連結する周壁と、
前記周壁に折り曲げ可能に連結する蓋部と、
前記底壁の一部を切り込んで形成され、前記底壁から起こすことが可能な切り起こし部と、を備えることを特徴とするブランク。
【発明の詳細な説明】
【技術分野】
【０００１】
本発明は、被収容物を収容する包装容器およびブランクに関する。
【背景技術】
【０００２】
チューリップなどの切り花の搬送は、成長等による変形を抑えるため、通常複数の切り花を包装したものを立てて搬送する必要がある。そして、このような切り花群などの被収容物を立てて搬送する場合には、被収容物が容器内で倒れたり、移動したりしないようにするため、図４に示す包装容器が用いられる。この包装容器は、蓋部１０２が開閉する箱状のものであり、底壁１０４に紐１０８を容器内に通すための挿通孔１０６が間隔を保って２つ設けられている。この包装容器は、まず紐１０８の両側をそれぞれ包装容器の底壁１０４の外側から各挿通孔１０６に通して包装容器内に引き込み、次いで図５に示すように包装容器内に被収容体１１０を収容し、収容した被収容体１１０を包装容器内に引き込んだ紐１０８で結んで被収容体１１０を容器内に固定する。
しかしながら、上記包装容器は、挿通孔１０６に紐１０８を通す作業に手間がかかるという問題があった。
【０００３】
なお、特許文献１には、紐ではなく、外箱内に備えられる切り花固定用容器で切り花を固定する切り花搬送用包装容器が開示されている。
【先行技術文献】
【特許文献】
【０００４】
【特許文献１】特開平０７−２３２７８２号
【発明の概要】
【発明が解決しようとする課題】
【０００５】
本発明は、容易かつ効率的に紐などの紐体を容器内に取り付けることができる包装容器およびブランクを提供することを目的とする。
【課題を解決するための手段】
【０００６】
包装容器は、底壁、底壁から立ち上がる周壁および周壁の上部に開口部を有し、内部に被収容物を収容可能なケース本体と、ケース本体に連結し、開口部を開閉する蓋部と、底壁の一部を切り込んで形成される部分であり、底壁から起こされる切り起こし部と、切り起こし部に掛けられ、被収容物を結ぶ紐体と、を備える。
【０００７】
ブランクは、被収容物を包装するための包装容器を形成するためのブランクであって、底壁と、底壁に折り曲げ可能に連結する周壁と、周壁に折り曲げ可能に連結する蓋部と、底壁の一部を切り込んで形成され、底壁から起こすことが可能な切り起こし部と、を備える。
【発明の効果】
【０００８】
本発明の包装容器およびブランクは、従来の包装容器に比べ、容易かつ効率的に紐体を包装容器内に取り付けることができる。
【図面の簡単な説明】
【０００９】
【図１】実施形態の包装容器を示す斜視図である。
【図２】実施形態のブランクを示す平面図である。
【図３】包装容器の切り起こし部に紐体が掛けられた状態を示す一部切り欠き斜視図。
【図４】従来の包装容器を示す一部切り欠き斜視図。
【図５】容器内に被収容体を収容した従来の包装容器を示す平面図。
【発明を実施するための形態】
【００１０】
以下、本発明の実施形態の包装容器およびブランクについて説明する。図１および図２は、包装容器およびブランクを示す。
【００１１】
包装容器は、ケース本体１と、蓋部６０と、切り起こし部７０と、紐体８０と、を備えている。
ケース本体１は、底壁１０と、底壁１０から立ち上がる周壁３と、を備えており、その上部に開口部を有し、その内部に被収容物が収容可能となっている。周壁３は、左側壁２０、右側壁３０、前壁４０および後壁５０により構成されている。蓋部６０は、開口部を開閉するものであり、ケース本体１の右側壁３０に連結している。切り起こし部７０は、底壁１０の一部を切り込んで形成される部分であり、底壁１０から起こされる。紐体８０は、紐状のものである。
【００１２】
包装容器は、図２に示す１枚のシートを型抜きしたブランクを折り曲げることにより形成される。ブランクは、例えば、段ボール、紙または樹脂などのシートから形成される。
【００１３】
ブランクは、底壁１０、左側壁２０、右側壁３０、前壁４０、後壁５０、蓋部６０、側壁差し込み部２６、側壁差し込み孔２８、蓋差し込み部６２、蓋差し込み孔６４、切り起こし部７０、フラップ４２，５２、のりしろ４４，４６，５４，５６および折り目９０ａ〜９０ｏを備えている。ケース本体１は、底壁１０、左右の側壁、前壁４０および後壁５０により構成される。また、左側壁２０は、内壁２２と外壁２４により構成される。ブランクの構成のうち、底壁１０、右側壁３０、左側壁２０の内壁２２と外壁２４、前壁４０、後壁５０および蓋部６０の壁面の形状は、長方形となっている。
【００１４】
底壁１０の左縁には、折り目９０ａを介して、左側壁２０の外壁２４が連結している。また、左側壁２０の外壁２４の左縁には、２つの折り目９０ｂ，９０ｃを介して、左側壁２０の内壁２２が連結している。左側壁２０の内壁２２の左縁には、折り目９０ｄを介して、左側壁２０の内壁２２から外側に突出する側壁差し込み部２６が二つ連結している。折り目は、隣り合う各壁の一方に対し、他方を折り曲げするためのものであり、例えば、表面を押し込んで形成される溝や、切れ込みを断続的に形成したミシン目などとなっている。底壁１０の左縁には、側壁差し込み部２６が差し込み可能な側壁差し込み孔２８が折り目９０ａに沿って２つ設けられている。また、左側壁２０の外壁２４と内壁２２の間には、後述する蓋差し込み部６２が差し込まれる蓋差し込み孔６４が折り目９０ｂ，９０ｃに沿って２つ設けられている。
【００１５】
底壁１０の右縁には、折り目９０ｅを介して、右側壁３０が連結している。また、右側壁３０の右縁には、折り目９０ｆを介して、蓋部６０が連結している。蓋部６０の右縁には、折り目９０ｇを介して、蓋部６０から外側に突出する蓋差し込み部６２が二つ連結している。
【００１６】
底壁１０の前縁には、折り目９０ｈを介して、前壁４０が連結している。また、前壁４０の前縁には、折り目９０ｉを介して、フラップ４２が連結している。また、前壁４０の左縁および右縁には、折り目９０ｊ，９０ｋを介して、のりしろ４４，４６が連結している。
【００１７】
底壁１０の後縁には、折り目９０ｌを介して、後壁５０が連結している。また、後壁５０の後縁には、折り目９０ｍを介して、フラップ５２が連結している。後壁５０の左縁および右縁には、折り目９０ｎ、９０ｏを介して、のりしろ５４，５６が連結している。
【００１８】
底壁１０には、その一部を切り込んで形成される部分であり、底壁１０から起こして紐体８０を掛けることが可能な切り起こし部７０が設けられている。切り起こし部７０は、ケース本体１の内部に収容される被収容物の長手方向に直行する方向を軸として切り起こされるようになっている。本実施形態では、底壁１０の辺が左右より前後の方が長くなっており、被収容物は前後方向を長手方向として収容される。そして、切り起こし部７０は、平面視して、底壁１０を略Ｃ字状に切り込んで２つ形成され、それぞれ被収容物の長手方向の直行する左右方向を軸として、底面に対し起立可能となっている。切り起こし部７０の左右の付け根には、切り起こし部７０に掛けられる後述の紐体８０が外れにくくなるように、その内側（左右方向）に窪む窪み部７２，７２が設けられている。
【００１９】
紐体８０は、本実施形態では合成樹脂製の紐が用いられている。なお、紐体８０は、紐状であって、被収容物を結ぶことが可能なものであればどのようなものであってもよい。
【００２０】
上記ブランクを用いた包装容器の形成の一例について説明する。まず、底壁１０に対し、左側壁２０の外壁２４を折り目９０ａで約９０°内側に折り曲げる。また、左側壁２０の外壁２４に対し、左側壁２０の内壁２２を２つの折り目９０ｂ，９０ｃで約１８０°内側に折り曲げて、側壁差し込み部２６を側壁差し込み孔２８に差し込む。次いで、底壁１０に対し、右側壁３０を折り目９０ｅで約９０°内側に折り曲げる。さらに、右側壁３０に対し、蓋部６０を折り目９０ｆで内側に折り曲げる。また、蓋部６０に対し、各蓋差し込み部６２を折り目９０ｅで約９０°内側に折り曲げる。次いで、前壁４０に対し、フラップ４２および左右ののりしろ４４，４６を折り目９０ｉ，９０ｊ，９０ｋで内側に折り曲げる。そして、底壁１０に対し、前壁４０を折り目９０ｈで約９０°内側に折り曲げる。この際、前壁４０の左側ののりしろ４４は左側壁２０の内壁２２と外壁２４の間に差し込み、前壁４０の右側ののりしろ４６は右側壁３０の内側に位置させる。次いで、後壁５０に対し、フラップ５２および左右ののりしろ５４，５６を折り目９０ｍ，９０ｎ，９０ｏで内側に折り曲げる。そして、底壁１０に対し、後壁５０を折り目９０ｌで約９０°内側に折り曲げる。この際、後壁５０の左側ののりしろ５４は左側壁２０の内壁２２と外壁２４の間に差し込み、後壁５０の右側ののりしろ５６は右側壁３０よりケース本体１の内側に位置させる。そして、必要に応じて、前壁４０および後壁５０のそれぞれの右側ののりしろ４６，５６を、接着剤等により右側壁３０に接着する。最後に、切り起こし部７０を内側に起こして、切り起こし部７０の背面に紐体８０を掛けることにより包装容器が形成される。ケース本体１の開口は、蓋部６０を内側に折り曲げ、蓋差し込み部６２を蓋差し込み孔６４に差し込むことにより閉じられ、蓋差し込み部６２を蓋差し込み孔６４から引き抜き、蓋部６０を外側に折り曲げることにより開けられる。
【００２１】
包装容器は、底壁１０から起こした切り起こし部７０に紐体８０を掛け、包装容器内に、切り花の束などの被収容物をその長手方向が前後方向となるように収容し、被収容物を紐体８０で結び、蓋部６０を閉じることにより包装が完了する。
【００２２】
包装容器およびブランクは、従来の包装容器に比べ、包装容器内に紐体８０を容易かつ効率的に取り付けることができる。
【００２３】
本発明の包装容器およびブランクは、上記実施形態に特に限定されるものではなく、本発明の要旨の範囲内において適宜変更することができる。
【符号の説明】
【００２４】
１    ケース本体
３    周壁
１０    底壁
２０    左側壁
２２    内壁
２４    外壁
２６    側壁差し込み部
２８    側壁差し込み孔
３０    右側壁
４０    前壁
４２    フラップ
４４，４６    のりしろ
５０    後壁
５２    フラップ
５４，５６    のりしろ
６０    蓋部
６２    蓋差し込み部
６４    蓋差し込み孔
７０    切り起こし部
７２    窪み部
８０    紐体
９０ａ，９０ｂ，９０ｃ，９０ｄ，９０ｅ，９０ｆ，９０ｇ，９０ｈ，９０ｉ，９０ｊ，９０ｋ，９０ｌ，９０ｍ，９０ｎ，９０ｏ    折り目
１０２    蓋部
１０４    底壁
１０６    挿通孔
１０８    紐
１１０    被収容物
【図１】
2018122923.tif 000003
【図２】
2018122923.tif 000004
【図３】
2018122923.tif 000005
【図４】
2018122923.tif 000006
【図５】
2018122923.tif 000007